(57)【要約】【課題】ペットボトルの空容器を使って簡単に飲み物をつくることができるティーバッグを提供する。【解決手段】ペットボトル口部から出し入れできる連続した袋または筒状体を第１収納室２、第２収納室３、第３収納室４と複数の収納室に仕切り、第１収納室２には何も入れず、第２収納室３および第３収納室４には飲料用原材料７ａを封入して両端を接合する。接合方法は、第１収納室２は扁平形状とし、第２、第３の収納室は一端の接合線に対して他端接合線を筒状体の軸線を中心に９０度偏向して接合する。これにより両収納室内部には立体的空間が確保され、茶葉等の飲料用原材料が内部でよく開き浸出が促進される。収納室ごとに異なる飲料用原材料を入れる場合には、各飲料用原材料間の浸出時間を一致させるために、各収納室両端の偏向角度を０〜９０度間で変化させ、立体空間の体積を変えることで対応する。【選択図】図１
2007181505.tif 000002
【特許請求の範囲】
【請求項１】
ペットボトルの口部内側の断面積と同等もしくはそれ以下の断面積を有する連続した袋または筒状体のティーバッグ素材を軸線方向に対し直角に仕切り、そこに飲料用原材料を封入する収納室を複数個設けるとともに、各収納室両端の仕切り線を９０度偏向して接合し立体空間を持たせたことを特徴とする２室以上の収納室を有するペットボトル用ティーバッグ。
【請求項２】
ペットボトルの口部内側の断面積と同等もしくはそれ以下の断面積を有する連続した袋または筒状体のティーバッグ素材を軸線方向に対し直角に仕切り、そこに飲料用原材料を封入する収納室を複数個設けるとともに、各収納室両端の仕切り線を０度〜９０度偏向して接合し立体空間に変化を持たせたことを特徴とする２室以上の収納室を有するペットボトル用ティーバッグ。
【請求項３】
上記飲料用原材料を封入する収納室に加え、甘味料や粉末ミルク等を収納する別途独立した収納室を設けたことを特徴とする請求項１または請求項２記載の２室以上の収納室を有するペットボトル用ティーバッグ。
【発明の詳細な説明】
【技術分野】
【０００１】  この発明は、ペットボトルの中で緑茶、紅茶、コーヒーその他の飲料を浸出するティーバッグに関するものである。
【背景技術】
【０００２】  本発明はペットボトル用に開発したティーバッグであるが、必ずしも緑茶だけを対象とするものではなく、紅茶、コーヒーその他多種の飲料に適用可能なものである。ただし説明の都合上、ここでは緑茶（お茶）のティーバッグという前提で説明を進める。【０００３】  ペットボトル飲料は、片手で持って飲める適度なサイズ、何回でも小分けして飲めるキャップ付き、落としても割れない軽量の材質、中味を補充すれば何回でも使える手軽さなど、数々の利点から近年人気が高まってきており、飲み終わって空になったペットボトル容器にお茶など好みの飲料を入れて持ち歩く人も増えている。【０００４】  現在市販されているティーバッグは四角形の扁平なもの、ピラミッド形の立体的なもの、またはそれらにヒモを付けたものが一般的であるが、中にはペットボトルよりも長い袋状のティーバッグにウーロン茶や麦茶を入れたものもある。前２者はペットボトルに入れてお茶をつくろうとする場合、入れるときはペットボトルに何とか押し込めても、飲み終わって取り出したいときに中の茶葉が湯水を吸って膨らむため取り出すのが困難なうえ、扁平のティーバッグは中の茶葉が開くための空間が十分とれない。また後者の細長いティーバッグはペットボトルへの出し入れに問題はないが、茶葉が１個の収納室に必要量だけ入っており、下方になった茶葉は湯水内で上方の茶葉に押さえられ、葉の開きが阻害されてお茶の浸出が十分に行なわれないという欠点がある。【０００５】  このほかに、これまでに考えられたペットボトル用ティーバッグとしては、ペットボトルの口から入れられる細長いティーバッグの一端につまみ付きの糸を付けたもの（特許文献１参照）や、棒状の透水性袋を２室に仕切り、１室には茶葉を入れ、他の１室はティーバッグを取り出すときのつまみとして利用するもの（特許文献２参照）、紐をつけた棒状のティーバッグを水溶性の糊で縦に２分割し、一方には茶葉を入れ、もう一方は湯水に入れたとき糊が溶けて茶葉が開くための空間となるもの（特許文献３参照）などがあるが、上記問題点を完全に解決できるティーバッグは見当たらない。
【特許文献１】実開平５−７２７６８号公報
【特許文献２】特開２０００−４１８５７公報
【特許文献３】特開２００３−３４３６０号公報
【発明の開示】
【発明が解決しようとする課題】
【０００６】  近年、ペットボトル飲料を愛好するファンが多くなってきているが、ペットボトル容器については一度飲めば捨ててしまうという人も多く、資源を大切にする観点からみれば残念であり、再利用が求められている。このような状況の中で、家庭の主婦などは茶葉を急須に入れて緑茶を浸出し、浸出したお茶をペットボトルに入れて外出時に持っていく人が相当数いるのも事実であり、ペットボトルの空容器を利用してもっと簡単に飲料をつくることのできるティーバッグのアイデアが求められるところである。【０００７】  ０００４項で、ティーバッグの下の方に入っている茶葉は上に乗っている茶葉に押しつけられて開くことができず、お茶の浸出が十分行なわれないということを述べた。それを避けてペットボトル内に茶葉を直接入れれば、茶葉が十分に開くスペースもありおいしいお茶が早くできて便利ではある。しかし、茶葉を入れるときにこぼしやすいうえに、飲むときには茶葉が口のところまで寄ってきてわずらわしい、さらには飲んでいる途中で茶葉を取り除きたくてもできない、などの問題点がある。こうした問題点の解決が待たれるところである。
【課題を解決するための手段】
【０００８】  上記の目的を達成するために請求項１に記載の発明は、ペットボトルの口部内側の断面積と同等もしくはそれ以下の断面積を有する連続した袋または筒状体のティーバッグ素材を軸線方向に対し直角に仕切り、そこに飲料用原材料を封入する収納室を複数個設けるとともに、各収納室両端の仕切り線を９０度偏向して接合し立体空間を持たせたことを特徴とする２室以上の収納室を有するペットボトル用ティーバッグである。【０００９】  本発明はペットボトルの口から出し入れする細長いティーバッグであるが、ペットボトルのキャップのところに一端を挟み、中に吊るして使用する。ティーバッグは筒状体を複数個の収納室に仕切り、それぞれの収納室に茶葉を入れて接合・封入する。この際、茶葉の開くスペースを確保するため茶葉の量は概ね収納室の容積の三分の一くらいとするのが適当である。【００１０】  収納室の数は多いほどお茶の出はよいが、あまり数が多すぎるとティーバッグ製造に要する時間やコストがかさむため、通常市販されている５００ミリリットル程度のペットボトル用としては茶葉を入れる収納室は２〜３室あれば足りると思われるが、収納する飲料用原材料の種類によってはこの室数に限るものではない。通常一番上の収納室には茶葉は入れず、吊り下げ用のベロとして使用する。容量が１リットルや２リットルのペットボトル用に茶葉の収納室数を４室以上に増やすことも可能であり、または５００ミリリットル用ティーバッグを何本か使用することによっても適当な濃度のお茶浸出液を得ることも可能である。【００１１】  茶葉を入れる収納室を１室とせず２室以上に分けて少しずつ入れる理由は、同量の茶葉すべてを１室に入れる場合と比較して、２室または３室に分けて入れた方が茶葉が開く条件がすべての茶葉に均等に与えられ、茶葉が早く開いてお茶の浸出が短時間に可能となるからである。収納室１室にすべての茶葉を入れた場合は、下の方の茶葉は上方に乗っている茶葉に押さえられて開くことができず、お茶の浸出に時間がかかってしまう。【００１２】  ペットボトルに入れるティーバッグの最上部に来る収納室にも茶葉を入れることは可能であるが、この部分は茶葉の入った収納室をペットボトル内に吊るすのが主な役目であり、茶葉が入っていればそれをキャップが噛み水漏れのおそれも出てくるのでできれば入れないほうが望ましい。また、ティーバッグの一端をペットボトルのキャップにはさむ理由は、お茶が浸出され適当な濃度になってそれ以上の浸出を止めるためと、お茶を飲む場合に内部にティーバッグが残っていないほうが気分的によいためである。【００１３】  このティーバッグの両端部分は９０度偏向して接合された状態となっている。これにより茶葉収納室内部に立体空間が確保され、通常の扁平のティーバッグに比べて茶葉が湯水に十分に触れてよく開くことができる。茶葉は開くことによってお茶の浸出を促進することができるので、この収納室いっぱいに茶葉を詰めたのでは意味がなく、茶葉が十分に開くためのスペースが確保できる量の茶葉封入にとどめておくことがポイントである。【００１４】  ティーバッグの材質は、紙、化学繊維、綿等の布、不織布またはそれらを組み合わせた材質など通水性を有するすべてのも���が適用できる。特にティーバッグの材質がナイロン等の化学繊維の場合、弾性がありティーバッグがねじれた状態を維持しやすいので、本出願の発明のように立体空間を維持する必要のあるティーバッグには適している。【００１５】  ティーバッグの大きさとしては、胴回りがペットボトル口部に入る大きさ、収納室１個は立体空間が保てる長さとして数ｃｍ、最上部の収納室の長さは茶葉の入った収納室が湯水につかることのできる最低１０ｃｍ程度は必要である。【００１６】  ティーバッグの中に入れる飲料用原材料としては、緑茶、ほうじ茶、ウーロン茶、紅茶、薬草茶、麦茶などのお茶類に限らず、粉末コーヒー、粉末ココア、粉末ジュース、粉末醤油、粉末ミルク、甘味料等、湯や水に溶かして飲用に供するものすべてが可能である。【００１７】  請求項２に記載の発明は、ペットボトルの口部内側の断面積と同等もしくはそれ以下の断面積を有する連続した袋または筒状体のティーバッグ素材を軸線方向に対し直角に仕切り、そこに飲料用原材料を封入する収納室を複数個設けるとともに、各収納室両端の仕切り線を０度〜９０度偏向して接合し立体空間に変化を持たせたことを特徴とする２室以上の収納室を有するペットボトル用ティーバッグである。【００１８】  茶葉を例にとって説明すれば、茶葉の種類、すなわち香り成分抽出用の茶葉、渋みを加える茶葉、水色を整える茶葉、焙煎をした茶葉などによって浸出時間（溶出タイミング）が異なる。このような茶葉を飲料用原材料として使用した場合、浸出時間を一致させて各原材料間のバランスを整えるために、浸出時間の遅い原材料はティーバッグ収納室の立体空間を最大限（９０度）にとり、浸出時間の速い原材料はティーバッグ収納室の立体空間を狭く（０度）する。また中間的浸出時間の原材料は立体空間を中間値（４５度）に設定するのが理想的である。また原材料として、茶葉、枇杷茶、玄米、はと麦など、茶葉と他の原材料を使用した複合茶の場合も同様で、成分バランスを整えるために、浸出時間の遅い原材料と、浸出時間の速い原材料、中間的浸出時間の原材料により、立体空間をそれぞれ大、小、中に設定することが望ましい。【００１９】  請求項３に記載の発明は、上記飲料用原材料を封入する収納室に加え、甘味料や粉末ミルク等を収納する別途独立した収納室を設けたことを特徴とする請求項１または請求項２記載の２室以上の収納室を有するペットボトル用ティーバッグである。【００２０】  紅茶やコーヒーの場合、人によってそのままで飲む人と、粉末ミルクや甘味料を加えて飲む人とがある。後者の場合、例えば収納室２室に紅茶を入れ、他の１室に粉末ミルクを、別の１室に甘味料を入れることにより、１本のティーバッグで砂糖とミルク入りの紅茶をつくって飲むことができる。また好みで、紅茶やコーヒーの代わりに緑茶その他のお茶を入れることも可能である。【００２１】  この場合、紅茶やコーヒーを入れる収納室には立体空間に変化を持たせてもよいが、一定とすることも可能である。別途独立した収納室である粉末ミルクや甘味料用の収納室についても、封入する原材料によって立体空間に変化を持たせてもよいし、一定のままとしてもよい。
【発明の効果】  本発明の２室以上の収納室を有するペットボトル用ティーバッグは、以上述べたような構成からなり、以下に記す効果が期待できる。【００２２】  ペットボトルの口から容易に出し入れできる細長い形体のティーバッグのため、急須を使わずにペットボトルの中にティーバッグごと入れ、茶葉その他の好みの飲料を簡単につくることができる。そして、お茶の浸出状況を見ながら、ちょうどよい濃さになったときティーバッグを取り出すことにより、その人好みの濃度のお茶を自由につくることができる。急須を洗う手間も不要である。【００２３】  ティーバッグの中の茶葉は、複数の収納室に少しずつ分割して入れられており、茶葉が湯水に触れる部分が多く、かつ立体的空間の中で自由に葉が開くことができるためお茶が短時間によく浸出される。【００２４】  収納室ごとに両端の接合角度を変え、立体空間に変化をもたせることが可能なため、異なる浸出時間を持つ飲料用原材料を１本のティーバッグ内に混在させても、各成分の浸出速度をコントロールできる。したがって、茶葉の香り、渋み、水色など浸出時間が異なる成分間のバランスをうまくとって最上の香りや味を引き出すことができる。【００２５】  ティーバッグは細長い形状であるため、間違ってティーバッグをペットボトル内に落としても、ペットボトルを逆さにして軽く振ればティーバッグを容易に取り出すことができる。このようにして１本のペットボトルを何回でも使うことができ、お茶その他の飲み物をつくるのにたいへん便利である。
【発明を実施するための最良の形態】
【００２６】  以下、本発明を実施するための最良の形態について、図１〜４を参照して説明する。【００２７】  図１は本発明の一実施例を示す斜視図、図２はその正面図、図３はペットボトル内に入れて使用する状態を示す正面図、図４はティーバッグの他の実施例を示す斜視図である。【００２８】  図１、図２はティーバッグ本体１を第１収納室２、第２収納室３、第３収納室４の３室に区分し、第１収納室２には茶葉を入れず、第２収納室３および第３収納室４には同じ浸出時間を有する茶葉（飲料用原材料）７ａをそれぞれ収納室容積の三分の一程度を入れてある。このティーバッグを使ってお茶を入れるときは、図３に示すように、まず湯水１１を９分目ほど入れたペットボトル９の口からティーバッグ本体１を中に入れ、ティーバッグ第１収納室２の先端を外に出してキャップ１０を締めることで、ティーバッグ本体１を湯水の中に吊り下げる。次にペットボトル９を軽く振ることにより、ティーバッグ第２収納室３および第３収納室４内に湯水が効率よく通水され、茶葉が両収納室内の空間いっぱいに開いてお茶を浸出する。【００２９】  第１収納室２は接合線８ａと８ｂ部分で接合されているが、両接合線の接合角度は偏向せず収納室は扁平の形状をなしている。この部分は、茶葉７ａを封入した第２収納室３および第３収納室４をペットボトル９内に吊るすため、キャップ１０によって湯水１１内に吊り下げる役目を担っている。【００３０】  第１収納室２と第２収納室３は接合線８ｂで、第２収納室３と第３収納室４とは接合線８ｃ部分で接合されている。接合線８ｂと８ｃはティーバッグ本体１の軸線を中心に９０度偏向して接合され、同様に接着線８ｃと８ｄも９０度偏向した状態で接合され、両収納室を立体的に膨らませた状態に保つ。お茶の浸出は茶葉７ａが湯水１１の中で開くことによって促進されるので、ティーバッグ本体１の収納室内に確保される立体空間は、お茶浸出のために非常に重要な意味を持っている。【００３１】  図３はティーバッグ本体１をペットボトル９のキャップ１０にはさんで中に吊るした状態を示す。お茶を効率的に浸出するために、ティーバッグ本体１の第２収納室３および第３収納室４は完全に湯水１１内に没することが必要で、これに必要な量の湯水１１を９分目ほどペットボトル９に入れておく。この状態でペットボトル９を軽く振ることにより、湯水１１は茶葉７ａの間を効率的に通過し、茶葉が両収納室の空間いっぱいに広がりお茶がよく浸出される。【００３２】  ある程度お茶が浸出され、それ以上の浸出を好まないときは、ペットボトル９のキャップ１０部分に出ている第１収納室２の先端をつまんで、ティーバッグ本体１をペットボトル９から取り出せばよい。お茶の濃度に関係なく何回も飲みたい場合には、ティーバッグ本体１をキャップ１０のところに留めず、完全に湯水１１の中に没してしまってもよい。一煎目とは違った二煎目のお茶の味を楽しむこともでき、また経済的でもある。【００３３】  １リットルや２リットル入りの大きなペットボトルに多量にお茶を浸出する場合には、ティーバッグ本体１を２本以上使用してペットボトル内に吊るせば、通常のサイズのペットボトルと同じ濃度のお茶を浸出することができる。一度に多��のティーバッグを吊るすことが無理な場合には、１〜２本ずつ何回かに分けて浸出することで対応できる。【００３４】  図４は、ティーバッグ本体１に収納室５室を設け、浸出時間の異なる３種類の茶葉７ａ、７ｂ、７ｃを封入した３室と、甘味料や粉末ミルク７ｄを封入した１室を設ける場合の実施例を示す。【００３５】  本実施例では、第１収納室２には何も入れず扁平体の袋のままとしている。第２収納室３には浸出時間の遅い茶葉などの飲料用原材料７ａを封入して収納室両端の接合の偏向角度を大きくとり、第３収納室４には浸出時間の中間的な原材料７ｂを入れて偏向角度を中間値に設定、第４収納室５には浸出時間の速い原材料７ｃを入れて偏向角度をゼロに設定してある。また第５収納室６は甘味料や粉末ミルクなどの原材料７ｄを入れるための収納室として、偏向角度をゼロとしてある。甘味料や粉末ミルクは一般的に湯水に触れるとすぐに溶け出し浸出時間は速いので、収納室に立体空間をつくる必要はないからである。なお、第２〜第５収納室に封入する飲料用原材料の相互順序は特に決まったものはなく、自由に設定できる。
【図面の簡単な説明】
【００３６】
【図１】  ティーバッグの実施例を示す斜視図である。
【図２】  ティーバッグの正面図である。
【図３】  ペットボトル内に入れて使用する状態を示す正面図である。
【図４】  ティーバッグの他の実施例を示す斜視図である。
【符号の説明】
【００３７】  １・・・ティーバッグ本体
２・・・第１収納室
３・・・第２収納室
４・・・第３収納室
５・・・第４収納室
６・・・第５収納室
７ａ、７ｂ、７ｃ、７ｄ・・・飲料用原材料
８ａ、８ｂ、８ｃ、８ｄ、８ｅ、８ｆ・・・収納室接合線
９・・・ペットボトル
１０・・・キャップ
１１・・・湯水
【図１】
2007181505.tif 000003
【図２】
2007181505.tif 000004
【図３】
2007181505.tif 000005
【図４】
2007181505.tif 000006